(57)【特許請求の範囲】
【請求項１】
遊技盤の裏面側に固定される取付枠と同取付枠の背面に被着するカバーとからなり、様々な図柄や文字等の情報を画面により表示する液晶モジュール及び電子回路基板等を内部に収納してなる遊技機における液晶表示ユニットのケースであって、
前記ケースは、前記取付枠の周縁に形成された係合部と、前記カバーの開口部に形成された弾性変形可能な爪片とを嵌合させることによりこれら取付枠とカバーとを一体的に組み付けるように設けられ、その取付枠の前面側から該爪片と該係合部とによる嵌合状態を解くことにより取付枠とカバーとが分離されるように設けられ、
前記ケースを遊技盤に固定した状態においては、前記カバーは前記取付枠から取り外すことができないように設けられ、前記ケースを遊技盤から取り外した状態においては、前記カバーを前記取付枠から取り外すことができるように構成したことを特徴とする遊技機における液晶表示ユニットのケース。
【発明の詳細な説明】
【０００１】
【発明の属する技術分野】
本発明は、パチンコ機やパチスロ機等の遊技機における液晶表示ユニットのケースに関する。
【０００２】
【従来の技術】
パチンコ機における液晶表示ユニットの従来のケースａの例を、図６に示す。
このケースａは、遊技盤ｐの裏面側に固定される取付枠ｂの背面にカバーｃを被着してビスｄにより固定し、それら取付枠ｂとカバーｃとを一体的に組み付ける構造とされている。そして、ケースａには、多様な情報を画面により表示する液晶モジュールｅ及び電子回路基板ｆ等が収納される。
【０００３】
【発明が解決しようとする課題】
上記した従来の液晶表示ユニットのケースａにおいては、ビスｄを緩めてカバーｃを外せば電子回路基板ｆが現れることから、不心得な遊技者が不正な電子回路基板を接続して故意に大当たり状態を生じさせて多量の賞球を得るということがあった。さらに、カバーｃをビスｄを使用して固定する組付け作業については、手間がかかるものであった。
【０００４】
この発明の目的は、カバーを外して内部の電子回路基板に不正な電子回路基板を接続して多量の賞球を得るという不正行為を未然に防止するのに有効な遊技機における液晶表示ユニットのケースを提供することにある。
【０００５】
【課題を解決するための手段】
前記目的を達成するために請求項１に記載の発明は、遊技盤の裏面側に固定される取付枠と同取付枠の背面に被着するカバーとからなり、様々な図柄や文字等の情報を画面により表示する液晶モジュール及び電子回路基板等を内部に収納してなる遊技機における液晶表示ユニットのケースであって、
前記ケースは、前記取付枠の周縁に形成された係合部と、前記カバーの開口部に形成された弾性変形可能な爪片とを嵌合させることによりこれら取付枠とカバーとを一体的に組み付けるように設けられ、その取付枠の前面側から該爪片と該係合部とによる嵌合状態を解くことにより取付枠とカバーとが分離されるように設けられ、前記ケースを遊技盤に固定した状態においては、前記カバーは前記取付枠から取り外すことができないように設けられ、前記ケースを遊技盤から取り外した状態においては、前記カバーを前記取付枠から取り外すことができるように構成したことを特徴とするものである。
【０００６】
【発明の作用及び効果】
取付枠の係合部にカバーの爪片を嵌合させることにより、それら取付枠とカバーとは一体的に組み付けられてケースを構成する。このケースを遊技盤に固定した状態においては、カバーを取付枠から取り外すことができない。
他方、そのケースを遊技盤から取り外した状態においては、取付枠の前面側から爪片と係合部とによる嵌合状態を解くことにより、カバーを取付枠から取り外すことができる。
【０００７】
この遊技機における液晶表示ユニットのケースは、ケースを遊技盤に固定した状態にてカバーを取付枠から取り外すことができない構成とし、不心得な遊技者によりカバーを外して内部の電子回路基板に不正な電子回路基板を接続して多量の賞球を得るという不正行為を未然に防止するのに有益である。
【０００８】
【発明の実施の形態】
以下に、本発明の実施の形態例を図面に基づいて説明する。図１は液晶表示ユニットの分解斜視図、図２は取付枠の正面図、図３は取付枠の係合部にカバーの爪片を嵌合させる要領を示す説明図、図４はケースを入賞樋に取り付けた状態を示す正面図、図５は液晶表示ユニットを遊技盤の裏面に固定した状態を説明する要部の横断面図である。
【０００９】
図１に示すように、パチンコ機に使用される液晶表示ユニットＵは、遊技盤の裏面側に固定される取付枠１０とその取付枠１０の背面に被着するカバー２５とからなるプラスチック製のケース１内に、レンズ３０と、様々な図柄や文字等の情報を画面により表示する液晶モジュール３１及び電子回路基板３５、３７を順に収納してなるものである。
【００１０】
上記ケース１の取付枠１０は、液晶モジュール３１を臨ませるための矩形状の開口１２を設けた平坦部１１の周縁に方形の側壁１３を形成し、その側壁１３の左右の縦壁部１３ａ、１３ｂの外側に、前後方向に貫通させた四角形の挿入口１４、１７が一体に形成されている。それら挿入口１４、１７の外側部１４ａ、１７ａの後方内端には、係合部１５、１８を夫々形成する。１６は一方の挿入口１４内で縦壁部１３ａ側の中央に形成された案内突条である。１９は前記縦壁部１３ａの外側で挿入口１４の上下位置に設けられた深い係止穴、２０はその係止穴１９の底部に穿設された取付穴である。同様に、２１は前記挿入口１７の上下位置に設けられた深い係止穴、２２はその係止穴２１の底部に穿設された取付穴である。２３、２４は前記側壁１３の横壁部１３ｃ、１３ｄに夫々対向して形成された弾力性係止片である。
【００１１】
カバー２５は一方が開放されており、その開口部２６の左右位置には、弾性変形可能なほぼ縦長のＶ字形の爪片２７、２７が前方に突出するように一体に形成されている。一方の爪片２７には、前記挿入口１４の案内突条１６に遊嵌するための溝２８を形成する。
【００１２】
上記取付枠１０の左右に形成される挿入口１４、１７については、大きさを異ならせるように設ける。同様に、カバー２５に形成される爪片２７、２７については、それら挿入口１４、１７に対応する大きさに設ける。このことは、取付枠１０に対してカバー２５を逆さに取り付けることを防止するためである。
【００１３】
４０は軸部４１の先端に雄ネジ４２を形成しその後端にネジ孔４３を設けた連結具、４４はビスである。
【００１４】
次に、液晶表示ユニットＵの組立てについて説明する。
まず、上記ケース１の取付枠１０内にレンズ３０と液晶モジュール３１を押し込むと、その液晶モジュール３１はその側縁に係止片２３、２４が掛け止められて固定される。ついで、液晶モジュール３１の四隅に形成されたネジ孔３２に連結具４０を螺着し、その連結具４０のネジ孔４３に電子回路基板３５の透孔３６に通した別の連結具４０の雄ネジ４２を螺着する。同様に、電子回路基板３７を後の連結具４０にあてがい、該基板３７の透孔３８に通したビス４４を締め付ける。その後、図３に示すように、カバー２５の爪片２７を取付枠１０の挿入口１４、１７に合わせて押込むことにより、爪片２７の自由端の先端２９が係合部１５、１８に嵌合して取付枠１０とカバー２５とは一体的に組み付けられる。
【００１５】
４５、４８は、遊技盤ｐの裏面側に所定間隔をおいて固定される一部の入賞樋である。一方の入賞樋４５には、前記取付枠１０の係止穴１９に対応する突起４６が設けられている。同様に、他方の入賞樋４８には、前記取付枠１０の係止穴２１に対応する突起４９を設ける。しかして、ケース１の取付枠１０は、図４に示すように、それら係止穴１９、２１を入賞樋４５、４８の突起４６、４９に夫々嵌着してからビス５０、５１にて固定するように設けられている。
【００１６】
上記液晶表示ユニットＵは、図５に示すように入賞樋４５、４８を介して遊技盤ｐに固定されるが、この状態においては、カバー２５を取付枠１０から取り外すことができない。また、そのケース１を入賞樋４５、４８から取り外した状態においては、取付枠１０の前面側からドライバー等の工具を使用してカバー２５の爪片２７を押さえて爪片２７と係合部１５、１８とによる嵌合状態を解くことにより、カバー２５を取付枠１０から取り外すことができる。
【００１７】
以上に述べたとおり、この遊技機における液晶表示ユニットのケースによれば、ケースを遊技盤に固定した状態にてカバーを取付枠から取り外すことができないため、不心得な遊技者によりカバーを外して内部の電子回路基板に不正な電子回路基板を接続して多量の賞球を得るという不正行為を未然に防止するのに有効である。
【図面の簡単な説明】
【図１】  液晶表示ユニットの分解斜視図
【図２】  取付枠の正面図
【図３】  取付枠の係合部にカバーの爪片を嵌合させる要領を示す説明図
【図４】  ケースを入賞樋に取り付けた状態を示す正面図
【図５】  液晶表示ユニットを遊技盤の裏面に固定した状態を説明する要部の横断面図
【図６】  従来の液晶表示ユニットを遊技盤の裏面に固定した状態を示す説明図
【符号の説明】
Ｕ→液晶表示ユニット
ｐ→遊技盤
１→ケース
１０→取付枠
１４、１７→挿入口
１５、１８→係合部
２５→カバー
２６→開口部  ２７→爪片
２９→先端
３１→液晶モジュール
３５、３７→電子回路基板
４０→連結具  ４４→ビス
４５、４８→入賞樋
【図１】
0003662180.tif 000002
【図２】
0003662180.tif 000003
【図３】
0003662180.tif 000004
【図４】
0003662180.tif 000005
【図５】
0003662180.tif 000006
【図６】
0003662180.tif 000007